(57)【特許請求の範囲】
【請求項１】
撮像光学系および色分解光学部材によって形成された第１および第２のカラー画像を電子的に現像する電子現像型記録媒体と、この電子現像型記録媒体を走査して、前記第１および第２のカラー画像を検出する単一のラインセンサと、このラインセンサによって検出された前記第１のカラー画像を格納するメモリと、このメモリから前記第１のカラー画像を読み出して画像データ記録媒体に書き込みつつ、前記ラインセンサによって検出された前記第２のカラー画像を前記画像データ記録媒体に書き込む記録媒体書込手段とを備え、前記第２のカラー画像に対するラインセンサの電荷蓄積時間の方が、前記第１のカラー画像に対するラインセンサの電荷蓄積時間よりも長いことを特徴とするカラー画像データ記録装置。
【請求項２】
前記記録媒体書込手段は、点順次方式によって前記第１および第２のカラー画像を画像データ記録媒体に書き込むことを特徴とする請求項１に記載のカラー画像データ記録装置。
【請求項３】
前記記録媒体書込手段は、線順次方式によって前記第１及び第２のカラー画像を画像データ記録媒体に書き込むことを特徴とする請求項１に記載のカラー画像データ記録装置。
【請求項４】
色分解分解光学系は、撮像光学系によって形成された被写体像をＲ、ＧおよびＢに色分解することを特徴とする請求項１に記載のカラー画像データ記録装置。
【請求項５】
前記記録媒体書込手段は、前記画像データ記録媒体への書込タイミングに同期して、前記メモリからカラー画像を読み出すことを特徴とする請求項１に記載のカラー画像データ記録装置。
【請求項６】
前記電子現像型記録媒体が、画像に応じた電荷が発生する静電情報記録媒体と、この電荷に応じて可視像が発生するとともにこの可視像を保持可能な電荷保持媒体とを有することを特徴とする請求項１に記載のカラー画像データ記録装置。
【請求項７】
前記電荷保持媒体がメモリタイプの液晶を用いた液晶表示素子であることを特徴とする請求項６に記載のカラー画像データ記録装置。
【発明の詳細な説明】
【０００１】
【発明の属する技術分野】
本発明は、例えばスチルカメラに設けられ、撮影レンズにより得られた光学像を可視像として保持するとともに、この可視像に対応した画像信号をハードディスク等の記録媒体に記録する装置に関する。
【０００２】
【従来の技術】
従来光学像を記録する材料として、銀塩写真材料が広く用いられている。銀塩写真材料は、光感度および解像度が高く、また経済性も優れている等の特徴を備えているが、現像処理が煩雑であるだけでなく、可視像が撮影と同時に得られないという欠点もある。現像処理を簡単にするために乾式現像法が開発されているが、この現像法においても、即時現像化すなわち撮影時に可視像を得ることは不可能である。
【０００３】
一方、非銀塩写真材料としては、電子写真材料、ジアゾ写真材料、フリーラジカル写真材料等が知られている。しかし、これらの写真材料において、銀塩写真材料のような特徴を備えていると同時に即時現像化が可能なものはない。なお、電子写真材料は乾式現像ができ、露光により得られた静電潜像をトナー等によって即時に現像できるので、複写機を中心として広く普及してきた。
【０００４】
さて、このような電子写真技術において近年、銀塩写真材料のように記録媒体自体が直接電子的に現像され、かつその現像された可視像が即時に得られる写真材料が開発されてきている。このような電子的に現像される記録媒体を、この明細書では電子現像型記録媒体と呼ぶ。
【０００５】
例えば特開平５−２２８０号公報には、静電情報記録媒体と電荷保持媒体とを組み合わせた記録媒体が開示されており、静電情報記録媒体は光導電層と無機酸化物層を有し、電荷保持媒体は液晶表示素子を有している。この構成では、静電情報記録媒体と電荷保持媒体に電圧が印加された状態で静電情報記録媒体が露光されると、入射光量に応じた電荷が静電情報記録媒体に生成される。静電情報記録媒体に対向して配置された液晶表示素子にかかる電界の強さは、その生成電荷に応じて変化するので、液晶表示素子には光量分布に応じた画像が表示すなわち現像される。
【０００６】
【発明が解決しようとする課題】
色分解光学部材によって電子現像型記録媒体上に、例えばＲ，Ｇ，Ｂの複数のカラー画像を現像し、これらのカラー画像を、１つのラインセンサを走査させることによって読み出すことが可能である。しかし、このような構成によると、全てのカラー画像を一時的に格納しておくためのメモリを要するという問題が生じる。
【０００７】
本発明は、全てのカラー画像を格納するためのメモリを設けることなくカラー画像を画像データ記録媒体に書き込むことができるカラー画像データ記録装置を提供することを目的としている。
【０００８】
【課題を解決するための手段】
本発明に係るカラー画像データ記録装置は、撮像光学系および色分解光学部材によって形成された第１および第２のカラー画像を電子的に現像する電子現像型記録媒体と、この電子現像型記録媒体を走査して、第１および第２のカラー画像を検出する単一のラインセンサと、このラインセンサによって検出された第１のカラー画像を格納するメモリと、このメモリから第１のカラー画像を読み出して画像データ記録媒体に書き込みつつ、ラインセンサによって検出された第２のカラー画像を画像データ記録媒体に書き込む記録媒体書込手段とを備えたことを特徴としている。
【０００９】
記録媒体書込手段は、第１および第２のカラー画像を点順次方式によって画像データ記録媒体に書き込んでもよく、あるいは線順次方式によって書き込んでもよい。
【００１０】
色分解分解光学系は、撮像光学系によって形成された被写体像を、例えばＲ、ＧおよびＢに色分解する。
【００１１】
記録媒体書込手段は、例えば画像データ記録媒体への書込タイミングに同期して、メモリからカラー画像を読み出す。
【００１２】
第２のカラー画像に対するラインセンサの電荷蓄積時間の方が、第１のカラー画像に対するラインセンサの電荷蓄積時間よりも長いことが好ましい。
【００１３】
電子現像型記録媒体は例えば、画像に応じた電荷が発生する静電情報記録媒体と、この電荷に応じて可視像が発生するとともにこの可視像を保持可能な電荷保持媒体とを有する。この場合、電荷保持媒体はメモリタイプの液晶を用いた液晶表示素子であることが好ましい。
【００１４】
【発明の実施の形態】
以下、本発明の実施の形態を図面を参照して説明する。
図１は本発明の一実施形態を適用したスチルビデオカメラの外観図である。
【００１５】
カメラ本体１１を前方から見ると、前面の略中央には撮影レンズ等を備えた撮像光学系１２が設けられ、撮像光学系１２の右上方にはストロボ１３が配設されている。またストロボ１３とは反対側にはレリーズスイッチ１４が設けられている。ファインダ１５はカメラ本体１１の上面の中央部に設けられ、スキャンスタートスイッチ１６等の操作スイッチはファインダ１５の側方に設けられている。このカメラにより得られた画像信号を外部の記録装置等に出力するため、カメラ本体１１の側面の下部には出力端子１７が配設されている。
【００１６】
図２はスチルビデオカメラのブロック図である。
システムコントロール回路２０はマイクロコンピュータであり、本スチルビデオカメラの全体の制御を行う。
【００１７】
撮像光学系１２には複数のレンズ群の他、絞り１２ａが設けられている。撮像光学系１２の後方には、後述する電子現像型記録媒体３０が配設され、撮像光学系１２と電子現像型記録媒体３０の間にはクイックリターンミラー２１が設けられ、クイックリターンミラー２１と電子現像型記録媒体３０の間にはシャッタ２２が設けられている。クイックリターンミラー２１の上方にはファインダ光学系２３のピント板２３ａが配設されている。
【００１８】
絞り１２ａ、クイックリターンミラー２１およびシャッタ２２は、それぞれアイリス駆動回路２４、ミラー駆動回路２５およびシャッタ駆動回路２６によって駆動され、これらの回路２４、２５、２６は露出制御回路２７により制御される。露出制御回路２７はシステムコントロール回路２０から出力される指令信号に従って動作する。すなわち、露出制御時、測光センサ２８からの出力信号に基づく露出制御回路２７の制御に従って、絞り１２ａはアイリス駆動回路２４により開度を調整される。クイックリターンミラー２１は通常、被写体を観察する位置であるダウン位置（実線により示される傾斜状態）に定められ、撮像光学系１２を通過した光をファインダ光学系２３に導いているが、撮影動作時、露出制御回路２７の制御に従い、ミラー駆動回路２５によって上方に回動せしめられアップ位置（破線により示される水平状態）に定められる。シャッタ２２は通常閉塞しているが、撮影動作時、露出制御回路２７の制御に従って、シャッタ駆動回路２６によって所定時間開放され、これにより撮像光学系１２を通過した光が電子現像型記録媒体３０の受光面に照射される。
【００１９】
電子現像型記録媒体３０は記録媒体駆動回路４１の制御に基づいて電圧を印加され、この電圧印加の間に露光されることによって電子現像型記録媒体３０には、後述するように、撮像光学系１２によって結像された画像が可視像として現像される。なお記録媒体駆動回路４１は、システムコントロール回路２０から出力される指令信号に従って動作する。
【００２０】
電子現像型記録媒体３０の近傍には走査機構５０が設けられている。走査機構５０には、例えばＬＥＤ（発光素子）から成る光源４２とスキャナ光学系４３とラインセンサ４４がそれぞれ支持されており、これらは走査機構５０による走査によって電子現像型記録媒体３０に沿って移動する。ラインセンサ４４は、例えば２０００画素のＣＣＤ１次元センサ等を用いることができる。光源４２は、シャッタ２２の前面すなわち電子現像型記録媒体３０の前面に沿って移動可能であり、ラインセンサ４４は電子現像型記録媒体３０の背面に沿って移動可能である。スキャナ光学系４３は光源４２とラインセンサ４４の間に設けられている。走査機構５０による走査において、光源４２は電子現像型記録媒体３０に対してラインセンサ４４とは反対側に位置し、したがって電子現像型記録媒体３０により現像された画像は、光源４２によって照明され、スキャナ光学系４３の作用によってラインセンサ４４の受光面に結像される。すなわちスキャナ光学系４３は電子現像型記録媒体３０を透過した光の経路の途中に設けられ、またラインセンサ４４はスキャナ光学系４３による画像の結像面上を移動する。
【００２１】
撮像光学系１２とクイックリターンミラー２１の間には、後述する色分解プリズム（図示せず）が設けられており、撮像光学系１２によって形成された被写体像はＲ（レッド）、Ｇ（グリーン）およびＢ（ブルー）に色分解されて電子現像型記録媒体３０の各記録領域に結像される。
【００２２】
光源４２のオンオフ制御は照明光源駆動回路４５により行われ、ラインセンサ４４に発生した画素信号の読出動作等の制御はラインセンサ駆動回路４７により行われる。走査機構５０の移動の制御はスキャナ系駆動回路４６により行われる。これらの回路４５、４６、４７はシステムコントロール回路２０により制御される。
【００２３】
ラインセンサ４４から読み出された画素信号は、アンプ６１により増幅され、Ａ／Ｄ変換器６２によってデジタル信号に変換される。デジタルの画素信号は、システムコントロール回路２０の制御に従って、いったん第１および第２のメモリ６４ａ、６４ｂに格納され、画像処理回路６３においてシェーディング補正およびガンマ補正等の処理を施された後、画像データとしてインターフェイス回路６５または記録装置制御回路６６に入力される。
【００２４】
インターフェイス回路６５において画像データは、フォーマットの変換等の所定の処理を施され、出力端子１７を介して外部のパーソナルコンピュータ（図示せず）等に出力可能である。また画像データは、記録装置制御回路６６において、画像圧縮あるいはフォーマットの変換等の所定の処理を施され、画像記録装置６７において例えばハードディスクあるいはＩＣメモリカード等の記録媒体に記録可能である。インターフェイス回路６５と記録装置制御回路６６はシステムコントロール回路２０からの指令信号に従って動作する。
【００２５】
システムコントロール回路２０には、レリーズスイッチ１４とスキャンスタートスイッチ１６が接続され、これらのスイッチ１４、１６の操作に従って、撮像動作および画像信号の読出動作等が行われる。またシステムコントロール回路２０には、このスチルビデオカメラの種々の設定状態等を表示するための表示素子６８と、ストロボ１３の発光制御を行うためのストロボ駆動回路６９が接続されている。
【００２６】
図３は、走査機構５０およびこれの近傍の構成を示す斜視図である。
走査機構５０の移動部材５２は、一対のガイドシャフト５１に摺動自在に支持され、第１および第２の脚部５２ａ、５２ｂと支持部５２ｃを有する。第１の脚部５２ａは、クイックリターンミラー２１とシャッタ２２の間に張り出している。第２の脚部５２ｂは、電子現像型記録媒体３０の背面側に張り出している。支持部５２ｃは第２の脚部５２ｂのさらに後方に設けられている。
【００２７】
光源４２は第１の脚部５２ａに、スキャナ光学系４３は第２の脚部５２ｂにそれぞれ支持されている。ラインセンサ４４は支持部５２ｃに取りつけられ、光源４２の後方に位置している。光源４２とラインセンサ４４は、水平方向に延びている。
【００２８】
移動部材５２に固定されたラック５３はピニオン５４に噛合し、このピニオン５４は、スキャン駆動モータ５５の出力軸に設けられたギア５６に噛合している。
【００２９】
図４は電子現像型記録媒体３０の構成を示す図であり、これは特開平５−２２８０号公報に開示されたものと同じである。
すなわち電子現像型記録媒体３０は静電情報記録媒体３１と電荷保持媒体３２を備えており、静電情報記録媒体３１と電荷保持媒体３２は電源３３によって電圧を印加される。静電情報記録媒体３１は、基板３４、電極層３５、無機酸化物層３６および光導電層３７を積層して成り、光導電層３７は電荷発生層３７ａと電荷輸送層３７ｂを重合させて構成される。電荷保持媒体３２は、液晶支持体３８と液晶電極層３９の間に液晶４０を封入して構成される。静電情報記録媒体３１の電荷輸送層３７ｂと電荷保持媒体３２の液晶支持体３８とは微小間隙をもって対向している。
【００３０】
電源３３は記録媒体駆動回路４１によりオンオフ制御され、電源３３がオン状態のとき、電極層３５と液晶電極層３９の間、すなわち静電情報記録媒体３１と電荷保持媒体３２に電圧が印加される。この電圧印加状態で静電情報記録媒体３１が露光されると、静電情報記録媒体３１には、画像に応じた電荷が発生する。この電荷に応じて、液晶４０に作用する電界の強さが変化するため、液晶４０には、その画像が可視像として表示され、被写体像が現像される。この電荷保持媒体３２はメモリタイプの液晶を用いた液晶表示素子であり、現像された可視像は電界を除去しても保持される。メモリタイプの液晶を用いた液晶表示素子は、加熱装置（図示せず）を用いて所定の温度に加熱することにより、現像された可視像を消去させることもでき、その場合は繰り返し同一記録媒体を用いることもできる。
【００３１】
図５は色分解プリズム７１を示している。すなわち、撮像光学系１２を通過した光線は色分解プリズム７１によって、Ｒ、ＧおよびＢに分解されて３つの出射面７１ａ、７１ｂ、７１ｃから出力され、電子現像型記録媒体３０の３つの記録領域３０ａ、３０ｂ、３０ｃに、Ｒ、Ｇ、Ｂのカラー画像がそれぞれ形成される。
【００３２】
図６は、撮像動作とラインセンサ４４からの画素信号の読出動作とを示すタイミングチャートである。
【００３３】
レリーズスイッチ１４が押下されたことが検知されると（符号Ｓ１１）、測光センサ２８からの出力信号すなわち測光値が検出される。この測光値に基づいて露出演算が開始される（符号Ｓ１２）。また、レリーズスイッチ１４が押下されてから所定時間が経過した後、記録媒体駆動回路４１から記録媒体活性化信号が出力され（符号Ｓ１３）、これにより電源３３がオン状態となって静電情報記録媒体３１と電荷保持媒体３２に電圧が印加される。次いで、露出演算が完了したことが確認されると（符号Ｓ１４）、この演算結果に従って撮像動作が行われる。
【００３４】
絞り１２ａの開度が全開状態から所定開度まで変化し（符号Ｓ１５）、またクイックリターンミラー２１がダウン状態からアップ状態に変化する（符号Ｓ１６）。ミラー２１のアップ状態への変化と絞り１２ａの開度調整が完了したことが確認されると、シャッタ２２が開放する（符号Ｓ１７）。露出演算により求められた露出期間が経過し、露出が完了したことが検出されると、シャッタ２２が閉じる（符号Ｓ１８）。このシャッタ２２の閉塞動作の完了に伴い、ミラー２１がダウン状態に変化するとともに（符号Ｓ１９）、絞り１２ａが全開状態まで開放し（符号Ｓ２０）、記録媒体活性化信号の出力が停止される（符号Ｓ２１）。
【００３５】
すなわち、記録媒体活性化信号は少なくともシャッタ２２が開放している間出力され、この間、電子現像型記録媒体３０に所定の電圧が印加される。そして、この状態で露光されることにより、電子現像型記録媒体３０には被写体像が可視像として現像される。この可視像は記録媒体活性化信号の出力が停止しても保持される。
【００３６】
その後、ミラー２１と絞り１２ａが初期状態に復帰したことが確認されると、ミラー２１と絞り１２ａの駆動が停止され、この撮像動作は終了する。
【００３７】
次いで、スキャンスタートスイッチ１６が押されると、走査機構５０による走査が開始し、次に述べる読出動作が行われる。
【００３８】
スキャナ駆動指令信号が出力されたことが確認されると（符号Ｓ３１）、シャッタ２２が開放され（符号Ｓ３２）、光源４２が点灯される（符号Ｓ３３）。そして、スキャナ系駆動信号が出力され（符号Ｓ３４）、スキャン駆動モータ５５が正転し、走査機構５０の移動部材５２が上昇し始める（符号Ｓ３５）。また、走査機構５０の駆動が開始されたのと略同時にラインセンサ駆動電源がオン状態となる（符号Ｓ３６）。
【００３９】
ラインセンサ４４が読み出し開始位置に定められたことが確認されると、スキャナ系駆動信号の出力が停止され（符号Ｓ３７）、スキャン駆動モータ５５が停止される（符号Ｓ３８）。これによりラインセンサ４４は、電子現像型記録媒体３０のうち、例えばＢ信号が記録された記録領域３０ｃの下端部に位置決めされる。このような停止動作は、例えばスキャン駆動モータ５５を回転駆動するためのパルス信号を計数すること等によって制御される。
【００４０】
次いでラインセンサ４４に対する露出が開始され、電荷蓄積が行われる（符号Ｓ３９）。所定時間が経過し、ラインセンサ４４の露出が完了したことが確認されると、ラインセンサ４４の読出動作が開始され、１水平走査線分の画素信号の出力が開始される（符号Ｓ４０）。そしてスキャン駆動モータ５５を正転させるスキャナ系駆動信号が出力され（符号Ｓ４１）、移動部材５２がさらに上昇し始める（符号Ｓ４２）。この上昇動作の間、画素信号が第１のメモリ６４ａに格納される。
【００４１】
この移動部材５２の移動中において、１水平走査線分の画素信号がラインセンサ４４から読み出されてメモリ６４ａに格納されたことが確認されると、その読出動作が停止される（符号Ｓ４３）。なお、この読出動作の終了は、例えばラインセンサ駆動回路４７から出力されるラインセンサ４４を駆動するためのパルス信号を計数することにより制御される。
【００４２】
ラインセンサ４４が次の水平走査線の位置に定められたことが確認されると、スキャナ系駆動信号の出力が停止され（符号Ｓ４４）、スキャン駆動モータ５５が停止される（符号Ｓ４５）。この停止動作は、例えばスキャン駆動モータ５５を回転駆動するためのパルス信号を計数すること等によって制御される。
【００４３】
このようにしてＢ信号に関する１画面分の読み出しが完了すると（符号Ｓ４６）、次にラインセンサ４４は、Ｇ信号が記録された記録領域３０ｂの下端部に位置決めされる。そして、上述したのと同様な動作が行われ、１画面分のＧの画素信号が読み出されて第２のメモリ６４ｂに格納される。
【００４４】
次いでラインセンサ４４は、Ｒ信号が記録された記録領域３０ａの下端部に位置決めされ、Ｒの画素信号の読み出しが開始される。Ｒの画素信号は、ＢおよびＧの画素信号とは異なり、メモリ６４ａ、６４ｂに格納されずに、画像記録装置６７に出力され、ハードディスク等の記録媒体に書き込まれる。また、この時、ＢおよびＧの画素信号も記録媒体に書き込まれる。
【００４５】
このように本実施形態は、ＢおよびＧ信号はメモリ６４ａ、６４ｂに格納された後、ハードディスクに書き込まれるが、Ｒ信号はメモリ６４ａ、６４ｂを介することなくハードディスクに書き込まれるように構成されているため、Ｒ，Ｇ，Ｂの全てのカラー画像をメモリに格納する構成と比較し、メモリの容量を大幅に削減することができる。
【００４６】
図７は、Ｒ，Ｇ，Ｂの画素信号の記録媒体への書き込み動作を示すタイミングチャートであり、期間ＰＢは図６に示す期間ＰＢに対応している。すなわちこの期間ＰＢでは、Ｂの画素信号がラインセンサ４４から読み出されるとともに（符号Ｓ５１）、第１のメモリ６４ａに書き込まれる（符号Ｓ５２）。また期間ＰＧでは、Ｇの画素信号がラインセンサ４４から読み出されるとともに（符号Ｓ５３）、第２のメモリ６４ｂに書き込まれる（符号Ｓ５４）。期間ＰＲでは、期間ＰＢ、ＰＧとは異なり、ＢおよびＧの画素信号がそれぞれ第１および第２のメモリ６４ａ、６４ｂから読み出されるとともに（符号Ｓ５５、Ｓ５６）、Ｒの画素信号がラインセンサ４４を介して読み出され（符号Ｓ５７）、これと同時に、これらの信号は記録媒体に書き込まれる（符号Ｓ５８）。
【００４７】
図８は、図７に示す期間ＰＲにおいてシステムコントロール回路２０から出力される制御信号を示すタイミングチャートである。
【００４８】
第１のメモリ６４ａの読出しデータイネーブル信号が出力されている間（符号Ｓ６１）に、ハードディスクへの書込みクロックが出力され（符号Ｓ６２）、Ｂの画素信号（ｎ）がハードディスクに書き込まれる。第１のメモリ６４ａのイネーブル信号の出力が停止した後、第２のメモリ６４ｂの読出しデータイネーブル信号が出力され（符号Ｓ６３）、この間にハードディスクへの書込みクロックが出力され（符号Ｓ６４）、Ｇの画素信号（ｎ）がハードディスクに書き込まれる。第２のメモリ６４ｂのイネーブル信号の出力が停止した後、ラインセンサ４４の読出しデータイネーブル信号が出力され（符号Ｓ６５）、この間にハードディスクへの書込みクロックが出力され（符号Ｓ６６）、Ｒの画素信号（ｎ）がハードディスクに書き込まれる。
【００４９】
このようにしてｎ番目のＲ，Ｇ，Ｂの画素信号がハードディスクに書き込まれた後、同様にして（ｎ＋１）番目のＲ，Ｇ，Ｂの画素信号がハードディスクに書き込まれる。
【００５０】
上述したように本実施形態では、メモリ６４ａ、６４ｂからＢとＧの画素信号が読み出されてハードディスクに書き込まれつつ、ラインセンサ４４によって検出されたＲの画素信号がハードディスクに書き込まれる。すなわち本実施形態では、ハードディスクへの記録は点順次方式に従って行われるが、各メモリおよびラインセンサのイネーブル期間を１ライン分のデータ読み出し期間とすれば、線順次方式によって記録することも可能である。
【００５１】
図９は、ラインセンサ４４における電荷の蓄積時間ＤＴと、ラインセンサ４４からの画素信号の読出時間ＲＴとの関係を示している。読出時間ＲＴはラインセンサ４４の性能等によって定まり、一定であるのに対し、蓄積時間ＤＴはＲ，Ｇ，Ｂ毎に異なる。蓄積時間ＤＴは、ラインセンサ駆動回路４７によって制御され、Ｒ，Ｇ，Ｂ毎に独立に定められる。このように各色毎に電荷蓄積時間ＤＴを独立に制御するのは、色分解プリズム７１の光の利用率、およびＲ、Ｇ、Ｂの各色に対するラインセンサ４４の比視感度特性の違いの影響を除去してカラー画像を得るためである。
【００５２】
上述したように本実施形態では、Ｒ，Ｇ，Ｂの各色において、ラインセンサ４４に対する蓄積時間ＤＴの最も長いカラー画像（上述の例では、Ｒの画素信号）が、最後に電子現像型記録媒体３０から読み出されるように構成されている。これは、ハードディスクへの書き込みに要する時間が、メモリ６４ａ、６４ｂへの書き込み時間よりもはるかに長いからである。すなわちハードディスクへの書き込み動作の周期は、例えば、メモリ６４ａ、６４ｂへの書き込み動作の周期の約１０倍である。
【００５３】
ハードディスク装置では、書き込みヘッドがハードディスクに１本の水平走査線のデータを書き込んだ時、図１０に示すように、ハードディスクに次の水平走査線のデータを書き込むことができる状態になるまでに、所定のオーバーヘッド時間ＯＨが必要である。このオーバーヘッド時間ＯＨは電荷蓄積時間ＤＴよりも長いので、オーバーヘッド時間ＯＨと電荷蓄積時間ＤＴの差は無駄になる。したがって、本実施形態ではオーバーヘッド時間ＯＨは最も長い電荷蓄積時間ＤＴ（Ｒの画素信号に対応する）にオーバーラップし、無駄な時間ができるだけ短縮され、これにより全てのカラー画像信号をハードディスクに記録するための時間が短縮されている。なお図中、符号ＲＴＨはハードディスクにＲの画素信号を書き込む時間を示す。
【００５４】
なお電子現像型記録媒体３０は上述した構成のものに限定されず、画像を電子的に現像するものであれば、他の構成であってもよい。
【００５５】
また本発明は、上記実施例のように一眼レフカメラに限定されず、レンズシャッタ式カメラにも適用できる。なおレンズシャッタ式カメラの場合には、上記実施例のようにスキャナ系駆動時に再びシャッタ２２を開放する必要はない。
【００５６】
スキャナ光学系４３は、単レンズの他、マイクロレンズアレー、セルフォックスレンズアレー等を利用することができる。
【００５７】
さらに、画像記録装置６７に装着される記録媒体は、光磁気ディスク等の光磁気記録媒体であってもよい。
【００５８】
またラインセンサ４４は、電子現像型記録媒体３０において反射した光を検出するように配設されていてもよい。
【００５９】
【発明の効果】
以上のように本発明によれば、全てのカラー画像を格納するためのメモリを設けることなくカラー画像を画像データ記録媒体に書き込むことができるという効果が得られる。
【図面の簡単な説明】
【図１】本発明の一実施形態を適用したスチルビデオカメラの外観図である。
【図２】図１のスチルビデオカメラの回路構成を示すブロック図である。
【図３】走査機構およびこれの近傍の構成を示す斜視図である。
【図４】電子現像型記録媒体の構成を示す図である。
【図５】色分解プリズムを示す図である。
【図６】撮像動作とラインセンサからの画素信号の読出動作とを示すタイミングチャートである。
【図７】Ｒ，Ｇ，Ｂの画素信号の記録媒体への書き込み動作を示すタイミングチャートである。
【図８】図７に示す期間ＰＲにおいてシステムコントロール回路から出力される制御信号を示すタイミングチャートである。
【図９】ラインセンサにおける電荷の蓄積時間と、ラインセンサからの画素信号の読出時間との関係を示す図である。
【図１０】ラインセンサにおける電荷蓄積時間とハードディスクのオーバーヘッド時間との関係を示す図である。
【符号の説明】
１２  撮像光学系
３０  電子現像型記録媒体
４２  光源
４３  スキャナ光学系
４４  ラインセンサ
６４ａ、６４ｂ  メモリ
５０  走査機構
７１  色分解プリズム
【図１】
0003590467.tif 000002
【図２】
0003590467.tif 000003
【図３】
0003590467.tif 000004
【図４】
0003590467.tif 000005
【図５】
0003590467.tif 000006
【図６】
0003590467.tif 000007
【図７】
0003590467.tif 000008
【図８】
0003590467.tif 000009
【図９】
0003590467.tif 000010
【図１０】
0003590467.tif 000011